(57)【要約】【課題】  装置全体を小型化すると共に、扉体をチェーンを介して上昇させる際、扉体に接続されるチェーンをスムーズに下降させることができる水門用開閉装置を提供する。【解決手段】  水門を開閉する扉体２の上部にチェーン４の一端が接続され、チェーン４は扉体２を上昇させる駆動装置５の駆動スプロケット１４に係合されると共に、チェーン４の他端にはチェーン降下用ウエイト３が接続されているので、扉体２をチェーン４を介して上昇させる際、チェーン４の下端が揺動することなく安全に降下できる。【選択図】        図２
2005171557.tif 000002
【特許請求の範囲】
【請求項１】
水門を開閉する扉体の上部にチェーンの一端が接続され、該チェーンは、前記扉体を上昇させる駆動装置を構成する駆動スプロケットに係合されると共に、前記チェーンの他端にチェーン降下用ウエイトを接続し、前記扉体を前記チェーンを介して上昇させる際、前記チェーンの他端側が略直線状に降下するように構成したことを特徴とする水門用開閉装置。
【発明の詳細な説明】
【技術分野】
【０００１】
本発明は、水門を開閉するために設けた水門用開閉装置である。
【背景技術】
【０００２】
河川に通じる水路には水門が設置され、水門用開閉装置の扉体の昇降によって水門を開閉するようになっている。従来の水門用開閉装置として、例えば、特許文献１には、？柱の上端間に掛け渡された連結桁上にスプロケットを設置し、このスプロケットに巻掛けられたチェーンは、その一端が門扉の上端部に接続されると共に、他端にカウンタバランスが接続され、また、連結桁上にはスプロケットの駆動軸に接続される減速機が設置され、この減速機を作動させるハンドルを回転させて、チェーンを介して門扉を昇降させることが開示されている。
【０００３】
また、特許文献２には、水門上部の操作台に駆動装置を備え、この駆動装置から延設する出力軸に駆動スプロケットを設け、扉体を昇降させるチェーンの両端が扉体の上部に取付られると共に、このチェーンの中間部が駆動スプロケット、及び案内スプロケットに巻回されており、扉体の全閉状態において、案内スプロケットが扉体から案内スプロケットに巻回されるチェーン取付位置よりも下方に位置する壁面に回転自在に軸支されていることが開示されている。
【０００４】
【特許文献１】特開昭５９−３８４１０号公報
【特許文献２】特開平８−８５９３４号公報
【発明の開示】
【発明が解決しようとする課題】
【０００５】
上述した特許文献１の発明では、チェーンの他端に、門扉の重量の約１／２の重量を有したカウンタバランスが接続されているとすると、門扉を上昇させる際の駆動力は低減できるが、門扉に加えカウンターバランスをもスプロケットや連結桁等によって吊下しなければならないため、これらスプロケットや連結桁等に単純に約１．５倍の強度が必要となり、さらにはこの大きなカウンターバランスが昇降するためのスペースを広くとる必要があり、装置全体が大型化すると共に、土木構造物等の施工コストが増加し、トータルコストが増加する懸念があった。
【０００６】
また、特許文献２の発明では、扉体の全閉状態において、案内スプロケットが扉体のチェーンの一端が取付けられる取付位置よりも下方に位置する壁面に回転自在に軸支されており、扉体が上昇する際、チェーンは駆動スプロケットに巻回された後この案内スプロケットにより案内されて安全に降下することになるが、この案内スプロケットが水没してしまうと、この案内スプロケットに浮遊ゴミ等が付着してこの浮遊ゴミをチェーンとの間に巻込んでしまい、扉体の昇降に支障をきたす虞がある。しかも、この案内スプロケットを壁面に軸支する工事が必要となり、トータルコストが増加する虞がある。
一方、前記した案内スプロケットを排除すると、扉体がチェーンを介して上昇する際、チェーンが駆動スプロケットにより巻回された後所定方向に案内されずに、チェーンの端部が揺動し安全に降下できない問題が生じる虞があった。
【０００７】
本発明は、かかる点に鑑みてなされたものであり、装置全体を小型化すると共に、扉体をチェーンを介して上昇させる際、扉体に接続されるチェーンをスムーズに降下させることができる水門用開閉装置を提供することを目的とする。
【課題を解決するための手段】
【０００８】
本発明は、上記課題を解決するための手段として、請求項１に記載した発明は、水門を開閉する扉体の上部にチェーンの一端が接続され、該チェーンは、前記扉体を上昇させる駆動装置を構成する駆動スプロケットに係合されると共に、前記チェーンの他端にチェーン降下用ウエイトを接続し、前記扉体を前記チェーンを介して上昇させる際、前記チェーンの他端側が略直線状に降下するように構成したことを特徴とするものである。
このように構成することにより、扉体がチェーンを介して上昇させる際、チェーンの他端側を略直線状に降下させることができる。また、扉体の寸法が大きく駆動スプロケットの下流側にチェーンを案内する案内ローラが複数設けられ、扉体と、降下するチェーンが遠く離間する場合でも、チェーンの他端にはチェーン降下用ウエイトが接続されているため、チェーンをその下端が揺動することなく安全に降下させることができる。
【発明の効果】
【０００９】
本発明の水門用開閉装置によれば、従来のように、チェーンを案内する案内スプロケットを設ける必要がなく、チェーンを安全に降下させることができるので、案内スプロケットに付着した浮遊ゴミを巻込む虞もなく安全で信頼性が高い。さらに、本発明の水門用開閉装置によれば、扉体の荷重だけをチェーンを介して駆動スプロケットや操作台等に吊下するので、従来のチェーンの他端にカウンターバランスが接続されている形態と比較すると、駆動スプロケットや操作台等に作用する荷重が大幅に低減され、装置全体を小型化できると共に、土木構造物の施工コスト等も大幅に低減させることができる。
【発明を実施するための最良の形態】
【００１０】
以下、本発明を実施するための最良の形態を図１及び図２に基いて詳細に説明する。
本発明の実施の形態に係る水門用開閉装置１は、図１及び図２に示すように、水門を開閉する扉体２と、一端が扉体２の上部に接続されると共に他端にチェーン降下用ウエイト３が接続されるチェーン４と、扉体２を昇降させるためにチェーン４に駆動力を伝達する駆動装置５とから概略構成されている。
【００１１】
水門には、水門を開閉するための扉体２が配設されており、この扉体２の上部の両端には、チェーン４、４の一端が吊金具６、６を介してそれぞれ固定されている。
水門の両岸には、門柱７、７がそれぞれ立設され、これらの門柱７、７の上部には、操作台８が掛け渡されており、この操作台８に駆動装置５が載置されている。符号１０で示すものは防護柵である。
扉体２の両端でその下方には、各２個ずつローラ２ａが装着されると共に、両側の門柱７、７にはそれぞれ戸当り１１、１１が設けられ、扉体２は各ローラ２ａが戸当り１１の前面を転がり、スムーズに昇降するようになっている。
【００１２】
駆動装置５は、回転駆動力を起動する電動機を備えた駆動部１２と、この駆動部１２から左右に延設される連結軸１８、１８に連結され、駆動部１２からの回転駆動力が伝達される各被駆動部１３、１３とから構成されている。
各被駆動部１３には、駆動部１２からの回転駆動力が伝達される被駆動軸１５が配設され、この被駆動軸１５に駆動スプロケット１４が固定されている。
そして、チェーン４の中間部は、被駆動部１３の駆動スプロケット１４に巻回され、駆動スプロケット１４の後方で、操作台８と被駆動部１３との間の架台８ａに支持される案内ローラ１６、１７にそれぞれ案内されている。また、チェーン４の他端には、チェーン降下用ウエイト３が接続されている。このチェーン降下用ウエイト３は、扉体２を上昇させる駆動装置５の駆動力を低減させるためのカウンターバランスの機能は有しておらず、チェーン４が案内ローラ１７により案内された後、チェーン４を略直線状に降下させる程度の重量（駆動スプロケット１４〜案内ローラ１７に巻回されるチェーン４の自重に相当）を有するものである。
【００１３】
次に、本発明の実施の形態に係る水門用開閉装置１の作用を図１及び図２に基いて説明する。
扉体２を上昇させる時には、駆動部１２からの回転駆動力が被駆動部１３の駆動スプロケット１４を介してチェーン４に伝達され、チェーン４と共に扉体２が上昇することになる。
この時、チェーン４は、駆動スプロケット１４の回転（時計回り方向）により回転移動し、案内ローラ１６、１７に沿って案内され、案内ローラ１７を基点に降下するようになる。そこで、本発明の水門用開閉装置１にあっては、チェーン４の他端にチェーン降下用ウエイト３を接続しているので、チェーン降下用ウエイト３の荷重により、チェーン４は、その下端が揺動することなく略直線状に降下することになる。
ここで、チェーン降下用ウエイト３は、全閉状態の時には図１の２点鎖線で示す位置に移動して、全開状態の時には図１の実線で示す位置に移動することになる。
【００１４】
以上説明したように、本発明の実施の形態に係る水門用開閉装置１によれば、一端を扉体２の上部に接続されるチェーン４を、駆動部１２からの回転駆動力が伝達される駆動スプロケット１４に係合すると共に、その他端にはチェーン降下用ウエイト３が接続されているので、扉体２をチェーン４を介して上昇させる際、チェーン４を、その下端が揺動することなく略直線状に降下させることができる。
【図面の簡単な説明】
【００１５】
【図１】図１は、本発明の実施の形態に係る水門用開閉装置の正面図である。
【図２】図２は、本発明の実施の形態に係る水門用開閉装置の側面図である。
【符号の説明】
【００１６】
１          水門用開閉装置
２          扉体
３          チェーン降下用ウエイト
４          チェーン
５          駆動装置
１２        駆動部
１３        被駆動部
１４        駆動スプロケット
【図１】
2005171557.tif 000003
【図２】
2005171557.tif 000004